(57)【特許請求の範囲】
【請求項１】
かご出入口を開閉するかごドアと、かご床に固定され、前記かごドアの移動を案内するかごシルと、前記かご出入口の側方に設けられ、前記かごドアの戸開時に、前記かごドアを収納する戸袋と、前記かごドアの戸開側端部の高さ方向に渡って延在し、前記かごドアの戸閉時に、前記かごドアの戸開側端部と前記戸袋との隙間を塞ぐ塞ぎ板と、前記かごドアの下部の幅方向全体に渡って延在し、前記かごドアの戸閉時に、前記かごドアの下端部と前記かごシルとの隙間を密封するドア下部気密材と、前記かご出入口の一部を形成するかご柱と、前記塞ぎ板に取付けられ、前記かごドアの戸閉時に、少なくとも一部が前記ドア下部気密材の戸開側端面に当接すると共に、他の一部が前記かご柱の側部に当接し、前記戸袋下方の隙間を密封する塞ぎ板気密材とを備えたエレベーター装置において、
前記かごドアの戸開時に、前記塞ぎ板気密材が前記かごシルのシル面より下側を移動することが可能なシル切欠きが前記かごシルに形成されており、
前記シル切欠きに、前記かごドアの戸閉時に一部が前記シル切欠きの戸閉側端面と当接すると共に、他の一部が前記塞ぎ板気密材と当接する下端調整部材が取付けられ、かつ、この下端調整部材の位置を前記シル切欠きの長手方向に沿って調整可能な下端調整ブラケットを備えていることを特徴とするエレベーター装置。
【請求項２】
前記塞ぎ板気密材は、前記かごドアの戸閉時に、前記シル切欠きの戸閉側端面に当接することを特徴とする請求項１に記載のエレベーター装置。
【請求項３】
前記下端調整ブラケットは断面Ｌ字状を成しており、その断面Ｌ字状の垂直片の両側面に前記下端調整部材が取付けられていると共に、断面Ｌ字状の水平片が下端調整ブラケット締結ボルトにより前記シル切欠きに固定されていることを特徴とする請求項１に記載のエレベーター装置。
【請求項４】
前記下端調整部材は、緩衝性に優れた粘弾性材で成形されていることを特徴とする請求項１又は３に記載のエレベーター装置。
【請求項５】
前記かごドアは、互いに反対方向に動作して前記かご出入口を開閉し、前記かごドアの戸閉位置に戸閉側端部が互いに対向して配置されている両開きドアか、或いは一方向に動作して前記かご出入口を開閉する片開きドアであることを特徴とする請求項１乃至４のいずれか１項に記載のエレベーター装置。
【請求項６】
前記かごシルには、前記かご出入口の間口方向に沿って延びるシル溝が設けられていると共に、該シル溝には、前記かごドアの下端に取付けられるドアシューが挿入され、前記かごドアの開閉動作時に、前記ドアシューで前記かごドアの下端部を案内することを特徴とする請求項５に記載のエレベーター装置。
【請求項７】
前記ドア下部気密材には連動機構が設けられ、該連動機構が動作することにより、前記かごドアの戸閉状態の時に前記ドア下部気密材を下降させて、前記かごドアの下端部と前記かごシルとの隙間を密封すると共に、前記かごドアの戸開状態の時に前記ドア下部気密材を上昇させて、前記かごシルから開離して前記かごドアの開閉動作性能を維持することを特徴とする請求項６に記載のエレベーター装置。
【請求項８】
前記塞ぎ板は断面クランク状を成しており、その断面クランク状の一端が前記かごドアの戸開側端部に取付けられていると共に、前記塞ぎ板の他端には、断面Ｌ字状を成している補助塞ぎ板が取付けられ、かつ、前記かごドアの戸閉時には、前記塞ぎ板及び前記補助塞ぎ板により、前記かごドアの戸開側端部と前記戸袋との隙間を塞ぐことを特徴とする請求項７に記載のエレベーター装置。
【請求項９】
前記塞ぎ板には、前記かごドアの戸閉時に、一部が前記ドア下部気密材の戸開側端面、他の一部が前記かごドアの戸開側下端面に当接する第１塞ぎ板気密材が取付けられると共に、前記補助塞ぎ板には、一部が前記第１塞ぎ板気密材の側面、他の一部が前記かご柱の側部に当接する第２塞ぎ板気密材が取付けられ、かつ、前記第１塞ぎ板気密材及び前記第２塞ぎ板気密材は、前記ドア下部気密材を超えて下方に延設されていることを特徴とする請求項８に記載のエレベーター装置。
【発明の詳細な説明】
【技術分野】
【０００１】
本発明はエレベーター装置に係り、特に、かご出入口を開閉するドア本体を備えているものに好適なエレベーター装置に関する。
【背景技術】
【０００２】
一般に、気密性を要するエレベーター装置には、かごドアの戸閉時に、かごドアの下端部とかごシルとの隙間を密封するドア下部気密材が設けられている。そして、かごドアの戸開動作時には、ドア下部気密材とかごシルとを非接触状態に保ち、かごドアの開閉動作性能を維持する連動機構を備えたものが、特許文献１に開示されている。
【０００３】
また、前述したドア下部気密材を備えたエレベーター装置にあって、かごシル内にシール部材を設け、かごドアの戸閉状態の時に、ドア下部気密材の戸閉側端面がシール部材に所定の接触圧力で当接するものが、特許文献２に開示されている。
【０００４】
更に、特許文献１及び２には開示されていないが、かごドアの戸開側端部（戸袋側端部）には、その高さ方向全体に渡って塞ぎ板が延在し、かごドアの戸閉時に、かごドアの戸開側端部と戸袋との隙間を塞ぐような構成が知られている。
【先行技術文献】
【特許文献】
【０００５】
【特許文献１】国際公開第２０１４／０３０２１７号
【特許文献２】特開２００４−３４５８０９号公報
【発明の概要】
【発明が解決しようとする課題】
【０００６】
しかしながら、特許文献１に記載されているドア下部気密材は、それぞれのかごドアの幅方向全体に渡って延在するものであると共に、塞ぎ板は、かごドアの戸開側端部（戸袋側端部）の高さ方向全体に渡って延在するのであることから、かごドアの戸閉時に、戸袋下方には、塞ぎ板及びドア下部気密材でも塞ぐことのきでない隙間が形成されてしまうという課題があった。また、前述した特許文献２に記載されているシール部材は、かごドアの戸閉時に、戸閉側にあってドア下部気密材と当接するものであり、戸袋下方に形成される隙間について考慮したものではない。
【０００７】
本発明は上述の点に鑑みなされたもので、その目的とするところは、かごドアの戸閉時に、戸袋下方に形成される隙間を密封することのできるエレベーター装置を提供することにある。
【課題を解決するための手段】
【０００８】
本発明のエレベーター装置は、上記目的を達成するために、かご出入口を開閉するかごドアと、かご床に固定され、前記かごドアの移動を案内するかごシルと、前記かご出入口の側方に設けられ、前記かごドアの戸開時に、前記かごドアを収納する戸袋と、前記かごドアの戸開側端部の高さ方向に渡って延在し、前記かごドアの戸閉時に、前記かごドアの戸開側端部と前記戸袋との隙間を塞ぐ塞ぎ板と、前記かごドアの下部の幅方向全体に渡って延在し、前記かごドアの戸閉時に、前記かごドアの下端部と前記かごシルとの隙間を密封するドア下部気密材と、前記かご出入口の一部を形成するかご柱と、前記塞ぎ板に取付けられ、前記かごドアの戸閉時に、少なくとも一部が前記ドア下部気密材の戸開側端面に当接すると共に、他の一部が前記かご柱の側部に当接し、前記戸袋下方の隙間を密封する塞ぎ板気密材とを備えたエレベーター装置において、前記かごドアの戸開時に、前記塞ぎ板気密材が前記かごシルのシル面より下側を移動することが可能なシル切欠きが前記かごシルに形成されており、前記シル切欠きに、前記かごドアの戸閉時に一部が前記シル切欠きの戸閉側端面と当接すると共に、他の一部が前記塞ぎ板気密材と当接する下端調整部材が取付けられ、かつ、この下端調整部材の位置を前記シル切欠きの長手方向に沿って調整可能な下端調整ブラケットを備えていることを特徴とする。
【発明の効果】
【０００９】
本発明によれば、かごドアの戸閉時に、戸袋下方に形成される隙間を密封することができる効果がある。
【図面の簡単な説明】
【００１０】
【図１】本発明のエレベーター装置の実施例１を示し、かごドア下端を乗場側から見た正面図である。
【図２】図１のＡ−Ａ線に沿う横断面図である。
【図３】本発明のエレベーター装置の実施例１におけるかごドア下端を、図１のＢ方向から見た側面図である。
【図４】本発明のエレベーター装置の実施例１におけるかごシルを、かご側から見た正面図である。
【発明を実施するための形態】
【００１１】
以下、図示した実施例に基づいて本発明のエレベーター装置を説明する。なお、各図において、同一構成部品には同符号を使用する。
【実施例１】
【００１２】
図１乃至図４に、本発明のエレベーター装置の実施例１を示す。
【００１３】
該図に示す如く、本実施例のエレベーター装置は、互いに反対方向に動作してかご出入口を開閉し、戸閉位置に戸閉側端部が互いに対向して配置されるかごドア１ａ、１ｂと、かご床に固定され、かごドア１ａ、１ｂの移動を案内するかごシル２とを備えており、かごドア１ａ、１ｂは、ドアモータ（図示せず）の駆動力によって、かごシル２に沿って水平方向に移動するようになっている。
【００１４】
なお、本実施例では、両開きドアのエレベーター装置を例としているが、ドアが一方向に開閉動作する片開きドアのエレベーター装置にも適用することができることは勿論である。
【００１５】
また、かごシル２には、かご出入口の間口方向に沿って延びるシル溝３が設けられており、かごドア１ａ、１ｂの下端に取付けられるドアシュー４ａ、４ｂ、４ｃが挿入されており、かごドア１ａ、１ｂの開閉動作時に、かごドア１ａ、１ｂの下端部を案内するようになっている。
【００１６】
また、かごドア１ａ、１ｂの下部には、その幅方向全体に渡って延在するドア下部気密材５ａ、５ｂが備えられており、しかも、これらのドア下部気密材５ａ、５ｂには、図示しないが、特許文献１に記載されている連動機構と同様な構成の連動機構が設けられ、戸閉状態の時にドア下部気密材５ａ、５ｂを下降させ、かごドア１ａ、１ｂの下端部とかごシル２との隙間を密封すると共に、戸開状態の時にドア下部気密材５ａ、５ｂを上昇させ、かごシル２から開離してかごドア１ａ、１ｂの開閉動作性能を維持するようになっている。
【００１７】
また、かごドア１ａ、１ｂの戸開側端部（戸袋側端部）には、その高さ方向全体に渡って延在する塞ぎ板６ａ、７ａが配設されている。これらの塞ぎ板６ａ、７ａは、断面がクランク状を成しており、その断面クランク状の一端が、かごドア１ａ、１ｂの戸開側端部に塞ぎ板固定ボルト８ａ、８ｂ、８ｃにより取付けられている。
【００１８】
一方、塞ぎ板６ａ、７ａの他端には、断面がＬ字状を成している補助塞ぎ板６ｂ、７ｂが塞ぎ板締結ボルト９ａ、９ｂ、９ｃにより取付けられている。そして、かごドア１ａ、１ｂの戸閉時には、塞ぎ板６ａ、７ａ及び補助塞ぎ板６ｂ、７ｂにより、かごドア１ａ、１ｂの戸開側端部と図示しない戸袋との隙間を塞ぐようになっている。
【００１９】
また、塞ぎ板６ａには、かごドア１ａ、１ｂの戸閉時に、一部がドア下部気密材５ａの戸開側端面、他の一部がかごドア１ａの戸開側下端面に当接する第１塞ぎ板気密材１０ａが取付けられると共に、補助塞ぎ板６ｂには、一部が第１塞ぎ板気密材１０ａの側面、他の一部がかご出入口の一部を形成するかご柱１１の側部に当接する第２塞ぎ板気密材１０ｂが取付けられ、第１塞ぎ板気密材１０ａ及び第２塞ぎ板気密材１０ｂは、ドア下部気密材５ａを超えて下方に延設されるものである。
【００２０】
なお、本実施例では、第１塞ぎ板気密材１０ａは、かごドア１ａの戸開側下端面にも当接するような構造となっているが、少なくともドア下部気密材５ａの戸開側面に当接すればよい。また、第１塞ぎ板気密材１０ａ及び第２塞ぎ板気密材１０ｂは分割構造となっているが、一体ものとしてもよい。更に、図３にあっては、第１塞ぎ板気密材１０ａ及び第２塞ぎ板気密材１０ｂを省いた記載となっている。
【００２１】
そして、本実施例では、かごシル２には、かごドア１ａの戸開動作時に、第１塞ぎ板気密材１０ａがかごシル２のシル面２ａより下側を移動することを可能とするシル切欠き１２が形成されている。
【００２２】
このシル切欠き１２には、図１乃至図４に示すように、かごドア１ａ、１ｂの戸閉時に、一部がシル切欠き１２の戸閉側端面、他の一部がドア下部気密材５ａに当接する第１下端調整部材１３ａ、及び一部が第１塞ぎ板気密材１０ａの戸閉側下端部、他の一部がドア下部気密材５ａに当接する第２下端調整部材１３ｂが取付けられ、かつ、これらの第１下端調整部材１３ａ及び第２下端調整部材１３ｂの位置を、シル切欠き１２の長手方向に沿って調整可能な下端調整ブラケット１４が設けられている（なお、第１下端調整部材１３ａ及び第２下端調整部材１３ｂは、緩衝性に優れた粘弾性材（例えば、スポンジ等）で成形されている）。
【００２３】
つまり、第１下端調整部材１３ａ及び第２下端調整部材１３ｂが、緩衝性に優れた粘弾性材（例えば、スポンジ等）で成形されているので、これらを下端調整ブラケット１４で押付けて厚みをかえることで、第１下端調整部材１３ａ及び第２下端調整部材１３ｂの位置を、シル切欠き１２の長手方向に沿って調整できる。
【００２４】
また、下端調整ブラケット１４は、断面がＬ字状を成しており、その断面Ｌ字状の垂直片の両側面に第１下端調整部材１３ａ及び第２下端調整部材１３ｂが取付けられていると共に、その断面Ｌ字状の水平片が下端調整ブラケット締結ボルト１５ａ、１５ｂによりシル切欠き１２に固定されるようになっている。
【００２５】
なお、本実施例では、第１下端調整部材１３ａ、第２下端調整部材１３ｂ及び下端調整ブラケット１４を設けた例を示したが、第１塞ぎ板気密材１０ａが、かごドア１ａ、１ｂの戸閉時に、直接、シル切欠き１２の戸閉側端面に当接するような配置とすることもできる。
【００２６】
このような本実施例にあっては、かごドア１ａ、１ｂが戸閉状態となると、連動機構を介してドア下部気密材５ａ、５ｂが下降し、かごドア１ａ、１ｂの下端部とかごシル２との隙間を密封できる。また、塞ぎ板６ａ、７ａ及び補助塞ぎ板６ｂ、７ｂにより、かごドア１ａ、１ｂの戸開側端部と図示しない戸袋との隙間を塞ぐことができる。
【００２７】
そして、第１塞ぎ板気密材１０ａの一部がドア下部気密材５ａの戸開側端面、他の一部がかごドア１ａの戸開側下端面に当接すると共に、第２塞ぎ板気密材１０ｂの一部が第１塞ぎ板気密材１０ａの側面、他の一部がかご柱１１の側部に当接し、また、第１下端調整部材１３ａの一部がシル切欠き１２の戸閉側端面、他の一部がドア下部気密材５ａに当接すると共に、第２下端調整部材１３ｂの一部が第１塞ぎ板気密材１０ａの戸閉側下端部、他の一部がドア下部気密材５ａに当接する。
【００２８】
従って、本実施例では、第１塞ぎ板気密材１０ａ、第２塞ぎ板気密材１０ｂ、第１下端調整部材１３ａ及び第２下端調整部材１３ｂにより、戸袋下方の隙間が密封される。
【００２９】
また、あらかじめ下端調整ブラケット１４の位置をシル切欠き１２の長手方向に沿って調整し、かごドア１ａ、１ｂの戸閉時に、第１下端調整部材１３ａをシル切欠き１２の戸閉側端面に確実に当接させると共に、第２下端調整部材１３ｂを第１塞ぎ板気密材１０ａの戸閉側下端部に確実に当接させることで、気密性を保持することができる。
【００３０】
また、本実施例のエレベーター装置によれば、塞ぎ板６ａに取付けられ、かごドア１ａ、１ｂの戸閉時に、少なくとも一部がドア下部気密材５ａの戸開側端面に当接すると共に、他の一部がかご柱１１の側部に当接し、戸袋下方の隙間を密封する第１塞ぎ板気密材１０ａ、第２塞ぎ板気密材１０ｂを設けたことにより、かごドア１ａ、１ｂの戸閉時に、戸袋下方に形成される隙間を密封することができる。これによって、本実施例によるエレベーター装置では、気密性を高めることができる。
【００３１】
また、かごシル２に形成され、かごドア１ａ、１ｂの戸開動作時に、第１塞ぎ板気密材１０ａがかごシル２のシル面２ａより下側を移動することを可能とするシル切欠き１２を備えていることにより、気密性を得るために第１塞ぎ板気密材１０ａをシル面２ａ下方に至るまで延在した構造としつつ、かごドア１ａ、１ｂの開閉動作性能を維持することができる。
【００３２】
更に、シル切欠き１２に、戸閉時に、一部がシル切欠き１２の戸閉側端面と当接すると共に、他の一部が第１塞ぎ板気密材１０ａと当接する第１下端調整部材１３ａ、第２下端調整部材１３ｂが取付けられ、かつ、これらの第１下端調整部材１３ａ、第２下端調整部材１３ｂの位置をシル切欠き１２の長手方向に沿って調整可能な下端調整ブラケット１４を設けたことにより、かごドア１ａ、１ｂの戸閉時に、第１下端調整部材１３ａ、第２下端調整部材１３ｂを、シル切欠き１２の戸閉側端面及び第１塞ぎ板気密材１０ａに確実に当接させ、高い気密性を得ることができる。
【００３３】
また、第１下端調整部材１３ａ、第２下端調整部材１３ｂは、緩衝性に優れた粘弾性材で成形されていることから、下端調整ブラケット１４の位置調整を補完し、第１下端調整部材１３ａ、第２下端調整部材１３ｂを、シル切欠き１２の戸閉側端面及び第１塞ぎ板気密材１０ａに確実に当接させ、高い気密性を得ることができる。
【００３４】
更に、シル切欠き１２をかごドア１ａ下方にまで延設し、第１下端調整部材１３ａ、第２下端調整部材１３ｂ及び下端調整ブラケット１４を戸袋の垂直投影面積よりかごドア１ａ、１ｂの戸閉側に位置させることにより、かごドア１ａ、１ｂを戸開状態として乗場側から行う下端調整ブラケット１４の位置調整作業を容易なものとすることができる。
【００３５】
なお、本発明は、上記の実施形態例に限定されるものではなく、様々な変形例を含む。例えば、上記の実施形態例は、本発明を分かりやすく説明するために詳細に説明したものであり、本発明は、必ずしも説明した全ての構成を備える態様に限定されるものではない。
【００３６】
また、各図面において、制御線や情報線は説明上必要と考えられるものを記載しており、必ずしも製品として必要な全ての制御線や情報線を記載しているとは限らない。実際の製品では、殆ど全ての構成要素が相互に接続されていると考えてもよい。
【符号の説明】
【００３７】
１ａ、１ｂ…かごドア、２…かごシル、２ａ…シル面、３…シル溝、４ａ、４ｂ、４ｃ…ドアシュー、５ａ、５ｂ…ドア下部気密材、６ａ、７ａ…塞ぎ板、６ｂ、７ｂ…補助塞ぎ板、８ａ、８ｂ、８ｃ…塞ぎ板固定ボルト、９ａ、９ｂ、９ｃ…塞ぎ板締結ボルト、１０ａ…第１塞ぎ板気密材、１０ｂ…第２塞ぎ板気密材、１１…かご柱、１２…シル切欠き、１３ａ…第１下端調整部材、１３ｂ…第２下端調整部材、１４…下端調整ブラケット、１５ａ、１５ｂ…下端調整ブラケット締結ボルト。
【図１】
0006335134.tif 000002
【図２】
0006335134.tif 000003
【図３】
0006335134.tif 000004
【図４】
0006335134.tif 000005